(57)【要約】【課題】自毛と付け毛とを接着剤により接合する場合に、自毛と付け毛とに付した接着剤を拡散させて自毛と付け毛との間に十分に接着剤を浸透させることにより、自毛と付け毛とを良好に接合しうる付け毛接合器具を提供すること。【解決手段】髪の毛を漉きうる櫛歯を有する櫛部と、前記櫛部に対して開閉可能に取り付けられ、閉時には、櫛部との間に髪を固定しうる髪押さえ部材とを有し、接着剤により自毛と付け毛とを接合させる付け毛接合器具であって、前記髪押さえ部材により櫛部との間に自毛と付け毛とを固定した状態で、接着剤を自毛と付け毛とに付し、前記接着剤を拡散させうる振動部を有する。【選択図】図１
2010084290.tif 000002
【特許請求の範囲】
【請求項１】
髪の毛を漉きうる櫛歯を有する櫛部と、前記櫛部に対して開閉可能に取り付けられ、閉時には、櫛部との間に髪を固定しうる髪押さえ部材とを有し、接着剤により自毛と付け毛とを接合させる付け毛接合器具であって、
前記髪押さえ部材により櫛部との間に自毛と付け毛とを固定した状態で、接着剤を自毛と付け毛とに付し、前記接着剤を拡散させうる振動部を有することを特徴とする付け毛接合器具。
【請求項２】
前記髪押さえ部材は横断面コ字状に形成され、閉時には、前記櫛歯を内部に収納しうる空隙部を有し、
前記髪押さえ部材は、閉時には、前記髪押さえ部材の幅方向下端部と前記櫛部の上端部との間に間隙部が形成されるように構成され、
前記櫛部の側方部には、櫛部の長さ方向に沿って配置され、前記間隙部に対して開口する接着剤供給用ガイド部が設けられていることを特徴とする請求項１記載の付け毛接合器具。
【請求項３】
前記接着剤供給用ガイド部は、前記櫛部の略全域に亘って設けられ、先端部方向に拡開する横断面略Ｖ字状に形成され、対向する一対の板材を有すると共に、底部には、接着剤が毛に供給される複数の開口部が長さ方向に沿って形成されていることを特徴とする請求項２記載の付け毛接合器具。
【請求項４】
前記髪押さえ部材は、全体薄型直方体形状に形成され、閉時には、前記接着剤供給用ガイド部の一方の板材の直上に配置されて接着剤の液だれを防止する突起部が長さ方向に沿って形成されていると共に、前記櫛部には、前記接着剤供給用ガイド部の他方の板材の直下に配置されて液だれを防止する突起部が長さ方向に沿って形成されていることを特徴とする請求項３記載の付け毛接合器具。
【請求項５】
前記振動部は、前記櫛部の端部に接合固定され、バイブレータを内蔵し、バイブレータの作動時には、発生した振動を前記櫛部に伝達しうるように構成されていることを特徴とする請求項１記載の付け毛接合器具。
【請求項６】
前記振動部は、使用者が把持する棒状の把持部として構成されていることを特徴とする請求項５記載の付け毛接合器具。
【請求項７】
前記櫛歯は、全体略円柱状に形成され、櫛歯に隣接する他の櫛歯との間の間隙寸法が略１ｍｍであることを特徴とする請求項１記載の付け毛接合器具。
【発明の詳細な説明】
【技術分野】
【０００１】
本発明は、付け毛接合器具に係り、自毛と付け毛との接合状態を良好にしうる付け毛接合器具に関する。
【０００２】
従来、自毛と付け毛とを接合する接合方法として、自毛と付け毛とを髪ばさみで挟み込んだ後に、接着剤を塗布して接合する接合方法が提案されている（特許文献１）。
特許文献１に記載されている技術は、自毛と付け毛とを接合する際に、液状の接着剤を塗布して、自毛と付け毛との間に接着剤を浸透させて接合する技術である。
しかしながら、特許文献１に記載されている技術においては、接着剤が自毛と付け毛との間に十分に浸透しない可能性があり、接着剤が十分に浸透していない場合には、自毛と付け毛との接合状態が不良となる。
【０００３】
【特許文献１】特許３０７２５４８号
【発明の開示】
【発明が解決しようとする課題】
【０００４】
そこで本発明の課題は、自毛と付け毛とを接着剤により接合する場合に、自毛と付け毛とに付した接着剤を拡散させて自毛と付け毛との間に十分に接着剤を浸透させることにより、自毛と付け毛とを良好に接合しうる付け毛接合器具を提供することにある。
【課題を解決するための手段】
【０００５】
請求項１記載の発明にあっては、髪の毛を漉きうる櫛歯を有する櫛部と、前記櫛部に対して開閉可能に取り付けられ、閉時には、櫛部との間に髪を固定しうる髪押さえ部材とを有し、接着剤により自毛と付け毛とを接合させる付け毛接合器具であって、前記髪押さえ部材により櫛部との間に自毛と付け毛とを固定した状態で、接着剤を自毛と付け毛とに付し、前記接着剤を拡散させうる振動部を有することを特徴とする。
従って、髪押さえ部材により櫛部との間に自毛と付け毛とを固定した状態で、接着剤を自毛と付け毛とに付し、振動部により自毛と付け毛とに付した前記接着剤を拡散させることができることから、前記接着剤を自毛と付け毛とに浸透させることができる。
【０００６】
請求項２記載の発明にあっては、前記髪押さえ部材は横断面コ字状に形成され、閉時には、前記櫛歯を内部に収納しうる空隙部を有し、前記髪押さえ部材は、閉時には、前記髪押さえ部材の幅方向下端部と前記櫛部の上端部との間に間隙部が形成されるように構成され、前記櫛部の側方部には、櫛部の長さ方向に沿って配置され、前記間隙部に対して開口する接着剤供給用ガイド部が設けられていることを特徴とする。
従って、閉時に前記髪押さえ部材の幅方向下端部と前記櫛部の上端部との間に形成された間隙部に自毛と付け毛とを配置することができる。
また、前記間隙部に自毛と付け毛とが配置された場合に、間隙部に対して開口する接着剤供給用ガイド部から接着剤を供給することにより、自毛と付け毛とに容易かつ確実に接着剤を供給することができる。
【０００７】
請求項３記載の発明にあっては、前記接着剤供給用ガイド部は、前記櫛部の略全域に亘って設けられ、先端部方向に拡開する横断面略Ｖ字状に形成され、対向する一対の板材を有すると共に、底部には、接着剤が毛に供給される複数の開口部が長さ方向に沿って形成されていることを特徴とする。
従って、前記接着剤供給用ガイド部は、前記櫛部の略全域に亘って設けられ、先端部方向に拡開する横断面略Ｖ字状に形成され、対向する一対の板材を有すると共に、底部には、接着剤が毛に供給される複数の開口部が長さ方向に沿って形成されているので、横断面略Ｖ字状の前記接着剤供給用ガイド部に供給された接着剤を容易に複数の開口部へ導入させることができるから、容易に自毛と付け毛とに接着剤を供給することができる。
【０００８】
請求項４記載の発明にあっては、前記髪押さえ部材は、全体薄型直方体形状に形成され、閉時には、前記接着剤供給用ガイド部の一方の板材の直上に配置されて接着剤の液だれを防止する突起部が長さ方向に沿って形成されていると共に、前記櫛部には、前記接着剤供給用ガイド部の他方の板材の直下に配置されて液だれを防止する突起部が長さ方向に沿って形成されていることを特徴とする。
従って、前記髪押さえ部材は、全体薄型直方体形状に形成され、閉時には、前記接着剤供給用ガイド部の一方の板材の直上に配置されて接着剤の液だれを防止する突起部が長さ方向に沿って形成されていると共に、前記櫛部には、前記接着剤供給用ガイド部の他方の板材の直下に配置されて液だれを防止する突起部が長さ方向に沿って形成されているので、接着剤の供給された分量が多く、前記接着剤供給用ガイド部から供給された接着剤が間隙部から溢れ出た場合であっても、前記突起部により、接着剤を前記間隙部へ導入させることができると共に接着剤の液だれを防止することができる。
【０００９】
請求項５記載の発明にあっては、前記振動部は、前記櫛部の端部に接合固定され、バイブレータを内蔵し、バイブレータの作動時には、発生した振動を前記櫛部に伝達しうるように構成されていることを特徴とする。
従って、前記振動部は、前記櫛部の端部に接合固定され、バイブレータを内蔵し、バイブレータの作動時には、発生した振動を前記櫛部に伝達しうるように構成されているので、前記櫛部を簡易な構成とすることができると共に、前記櫛部をバイブレータの作動により振動させることができる。
【００１０】
請求項６記載の発明にあっては、前記振動部は、使用者が把持する棒状の把持部として構成されていることを特徴とする。
従って、前記振動部は、使用者が把持する棒状の把持部として構成されているので、前記把持部を把持して前記振動部を作動させることにより容易に振動を前記櫛部に伝達させることができる。
【００１１】
請求項７記載の発明にあっては、前記櫛歯は、全体略円柱状に形成され、櫛歯に隣接する他の櫛歯との間の間隙寸法が略１ｍｍであることを特徴とする。
従って、前記櫛歯は、全体略円柱状に形成され、櫛歯に隣接する他の櫛歯との間の間隙寸法が略１ｍｍであるので、前記櫛歯と前記櫛歯に隣接する他の櫛歯との間に配置される毛束の太さ寸法を小さくでき、接着剤を櫛歯と隣接する他の櫛歯の周面に沿って供給することができる。
【発明の効果】
【００１２】
請求項１記載の発明にあっては、髪押さえ部材により櫛部との間に自毛と付け毛とを固定した状態で、接着剤を自毛と付け毛とに付し、振動部により自毛と付け毛とに付した振動部により前記接着剤を拡散させることができることから、自毛と付け毛とを接着剤により接合する場合に、前記振動部の振動により接着剤を拡散させることにより自毛と付け毛との間に十分に接着剤を浸透させることができるので、自毛と付け毛とを良好に接合しうる付け毛接合器具を提供することができる。
【００１３】
請求項２記載の発明にあっては、間隙部に対して開口する接着剤供給用ガイド部により、髪押さえ部材の幅方向下端部と櫛部の上端部との間に形成された間隙部に自毛と付け毛とが配置された場合に、自毛と付け毛とに容易かつ確実に接着剤を供給することができることから、容易に自毛と付け毛とを良好に接合しうる付け毛接合器具を提供することができる。
【００１４】
請求項３記載の発明にあっては、前記接着剤供給用ガイド部は、前記櫛部の略全域に亘って設けられ、先端部方向に拡開する横断面略Ｖ字状に形成され、対向する一対の板材を有すると共に、底部には、接着剤が毛に供給される複数の開口部が長さ方向に沿って形成されているので、横断面略Ｖ字状の前記接着剤供給用ガイド部に供給された接着剤を容易に複数の開口部へ導入させることができ、容易に自毛と付け毛とに接着剤を供給することができることから、容易に自毛と付け毛とを良好に接合しうる付け毛接合器具を提供することができる。
【００１５】
請求項４記載の発明にあっては、前記髪押さえ部材は、全体薄型直方体形状に形成され、閉時には、前記接着剤供給用ガイド部の一方の板材の直上に配置されて接着剤の液だれを防止する突起部が長さ方向に沿って形成されていると共に、前記櫛部には、前記接着剤供給用ガイド部の他方の板材の直下に配置されて液だれを防止する突起部が長さ方向に沿って形成されているので、接着剤の供給された分量が多く、前記接着剤供給用ガイド部から供給された接着剤が間隙部から溢れ出た場合であっても、前記突起部により、接着剤を前記間隙部へ導入させることができると共に接着剤の液だれを防止することができることから、接着剤の不要な箇所への液だれを防止できると共に前記間隙部へ容易に供給できる付け毛接合器具を提供することができる。
【００１６】
請求項５記載の発明にあっては、前記振動部は、前記櫛部の端部に接合固定され、バイブレータを内蔵し、バイブレータの作動時には、発生した振動を前記櫛部に伝達しうるように構成されているので、前記櫛部を簡易な構成とすることができると共に、前記櫛部をバイブレータの作動により振動させることができることから、簡易な構成からなる付け毛接合器具を提供することができる。
【００１７】
請求項６記載の発明にあっては、前記振動部は、使用者が把持する棒状の把持部として構成されているので、前記把持部を把持して前記振動部を作動させることにより容易に振動を前記櫛部に伝達させることができることから、取り扱いが容易な付け毛接合器具を提供することができる。
【００１８】
請求項７記載の発明にあっては、前記櫛歯は、全体略円柱状に形成され、櫛歯に隣接する他の櫛歯との間の間隙寸法が略１ｍｍであるので、前記櫛歯と前記櫛歯に隣接する他の櫛歯との間に配置される毛束の太さ寸法を小さくでき、接着剤を櫛歯と隣接する他の櫛歯の周面に沿って供給することができることから、自毛と付け毛とを自然な状態で接合しうる付け毛接合器具を提供することができる。
【発明を実施するための最良の形態】
【００１９】
以下、本発明の実施の形態について説明する。
図１に示すように、本発明に係る付け毛接合器具１０は、髪の毛を漉きうる櫛歯１１を有する櫛部１２と、前記櫛部１２に対して開閉可能に取り付けられ、閉時には、櫛部１２との間に髪を固定しうる髪押さえ部材１３とを有し、図５に示すように、接着剤Ａにより自毛Ｂと付け毛Ｃとを接合させる付け毛接合器具１０であって、前記髪押さえ部材１３により櫛部１２との間に自毛Ｂと付け毛Ｃとを固定した状態で、接着剤Ａを自毛Ｂと付け毛Ｃとに付し、前記接着剤Ａを拡散させうる振動部１４を有している。
また、図３に示すように、前記髪押さえ部材１３は横断面コ字状に形成され、閉時には、前記櫛歯１１を内部に収納しうる空隙部１５を有し、前記髪押さえ部材１３は、閉時には、前記髪押さえ部材１３の幅方向下端部１６ａ，１６ｂと前記櫛部１２の上端部１７ａ，１７ｂとの間に間隙部１８ａ，１８ｂが形成されるように構成され、前記櫛部１２の側方部には、櫛部１２の長さ方向に沿って配置され、前記間隙部１８ａに対して開口する接着剤供給用ガイド部１９が設けられている。
また、図１に示すように、前記接着剤供給用ガイド部１９は、前記櫛部１２の略全域に亘って設けられ、図３に示すように、先端部２０，２０方向に拡開する横断面略Ｖ字状に形成され、対向する一対の板材２１ａ，２１ｂを有すると共に、底部２２には、図２に示すように、接着剤Ａが毛に供給される複数の開口部２３が長さ方向に沿って形成されている。
また、図１に示すように、前記髪押さえ部材１３は、全体薄型直方体形状に形成され、閉時には、図２に示すように、前記接着剤供給用ガイド部１９の一方の板材２１ａの直上に配置される。
また、接着剤Ａの液だれを防止する突起部２４ａが長さ方向に沿って形成されていると共に、前記櫛部１２には、前記接着剤供給用ガイド部１９の他方の板材２１ｂの直下に配置されて液だれを防止する突起部２４ｂが長さ方向に沿って形成されている。
また、図１に示すように、前記振動部１４は、前記櫛部１２の端部２５ａに接合固定され、バイブレータ２６を内蔵し、バイブレータ２６の作動時には、発生した振動を前記櫛部１２に伝達しうるように構成されている。
また、前記振動部１４は、使用者が把持する棒状の把持部２７として構成されている。
また、図１に示すように、前記櫛歯１１は、全体略円柱状に形成され、櫛歯１１ａに隣接する他の櫛歯１１ｂとの間の間隙寸法Ｌ１が略１ｍｍに構成されている。
【実施例】
【００２０】
以下に、本発明に係る付け毛接合器具１０の実施例について、詳細を説明する。
図１に示すように、本実施例に係る付け毛接合器具１０は、髪の毛を漉きうる櫛歯１１を有する櫛部１２と、前記櫛部１２に対して開閉可能に取り付けられ、閉時には、櫛部１２との間に髪を固定しうる髪押さえ部材１３とを有している。
また、前記櫛部１２は、全体薄型直方体形状に形成された基部２８と、前記基部２８上の幅方向中央部に長さ方向略全域に亘って立設された樹脂材により形成された複数の櫛歯１１とにより構成されている。
また、前記櫛歯１１は、全体略円柱状に形成され、図１に示すように、櫛歯１１ａと櫛歯１１ａに隣接する他の櫛歯１１ｂとの間には隙間部３１が形成され、櫛歯１１ａに隣接する他の櫛歯１１ｂとの間の間隙寸法Ｌ１は略１ｍｍに設定されている。
また、図１に示すように、前記髪押さえ部材１３は、全体薄型直方体形状に形成され、図３に示すように、横断面コ字状に形成され、上板部３６と、前記上板部３６の両端部に略直角の角度をもって連設された互いに対向する対向板部３７，３７とにより形成されている。
また、図３に示すように、前記髪押さえ部材１３には、前記上板部３６と前記対向板部３７，３７とにより前記櫛歯１１を内部に収納しうる空隙部１５が形成されると共に、閉時には、前記櫛歯１１が前記空隙部１５内に収納される。
【００２１】
また、図３に示すように、閉時において、前記髪押さえ部材１３の幅方向下端部１６ａ，１６ｂと前記櫛部１２の上端部１７ａ，１７ｂとの間に間隔寸法Ｌ２が２ｍｍの細幅状の間隙部１８ａ，１８ｂが形成され、前記間隙部１８ａ，１８ｂは前記櫛歯１１の基部２８の幅方向両端部の直上において長さ方向略全域に亘って形成されている。
また、閉時において、前記櫛歯１１の下端部３２は、前記間隙部１８ａ，１８ｂを介して付け毛接合器具１０の側面部から露呈され、前記櫛歯１１の下端部３２に配置された毛に対して接着剤Ａを外方から供給できるように構成されている。
また、図１に示すように、前記櫛部１２の一方の端部２５ａと前記髪押さえ部材１３の一方の端部２５ｂは、支軸部２９により開閉可能に軸支されている。
また、前記櫛部１２の他方の端部にはイリジウム磁石３０ａが固定され、前記髪押さえ部材１３の他方の端部には前記イリジウム磁石３０ａに接合しうるイリジウム磁石３０ｂが固定され、閉時には、夫々の磁石３０ａ，３０ｂが接合して付け毛接合器具１０の閉状態が固定される。
【００２２】
また、図２に示すように、前記櫛部１２の一方の側方部３５ａには、前記櫛部１２の長さ方向略全域に亘って設けられ、一方の間隙部１８ａに対して開口する横断面略Ｖ字形状に形成された接着剤供給用ガイド部１９が設けられている。
また、前記接着剤供給用ガイド部１９は、図２に示すように、前記櫛部１２の長さ方向略全域に亘って設けられ、対向する一対の細長長方形状の薄厚板材２１ａ，２１ｂにより構成された先端部２０，２０方向に拡開する横断面略Ｖ字状に形成され、底部２２には、接着剤Ａが毛に供給される複数の開口部２３が長さ方向に沿って形成され、図３に示すように、他方の板材２１ｂの一方の幅方向端部の外側面部において、前記櫛部１２の前記上端部１７ａの一方の幅方向外縁部に長さ方向に沿って固定されている。
また、前記複数の開口部２３は、前記櫛歯１１の下端部３２に沿うように前記櫛部１２の長さ方向略全域に配置されると共に、図４に示すように、前記櫛歯１１ａと前記櫛歯１１ａに隣接する櫛歯１１ｂとの間に形成される複数の隙間部３１に対して対向するように配置されている。
【００２３】
また、図２に示すように、前記髪押さえ部材１３は、全体薄型直方体形状に形成され、閉時には、前記接着剤供給用ガイド部１９の一方の板材２１ａの直上に配置されて接着剤Ａの液だれを防止する断面方形棒状の突起部２４ａが前記髪押さえ部材１３の長さ方向全域に亘って前記髪押さえ部材１３の一方の側面部３４ａに固定されている。
また、同様に、前記櫛部１２には、前記接着剤供給用ガイド部１９の他方の板材２１ｂの直下に配置されて前記接着剤Ａの液だれを防止する断面方形棒状の突起部２４ｂが前記櫛部１２の長さ方向全域に亘って前記櫛部１２の一方の側面部３５ａに固定されている。
また、図１に示すように、前記振動部１４は、使用者が把持しうる円柱棒形状の把持部２７として構成され、前記櫛部１２の端部２５ａに接合固定され、前記把持部２７の内部にバイブレータ２６を内蔵し、前記バイブレータ２６の作動時には、発生した振動を前記櫛部１２に伝達しうるように構成されている。
また、前記把持部２７の周面上には、前記バイブレータ２６を作動させうるバイブレータスイッチ３３が設けられている。
【００２４】
以下、本実施例の作用について説明する。
本実施例に係る付け毛接合器具１０を使用する場合には、図４に示すように、付け毛接合器具１０の開状態において、自毛Ｂを櫛部１２の複数の櫛歯１１の夫々の隙間部３１に均等に分散させて前記櫛部１２の幅方向に沿って配置し、かつ、図６（ａ）に示すように、前記複数の櫛歯１１の下端部３２であって櫛部１２の基部２８上に載置する。
この場合、付け毛接合器具１０を用いて前記自毛Ｂの先端部と付け毛とを接合することから、前記自毛Ｂの先端部が接合部位を形成するため、図４及び図６（ａ）に示すように、前記基部２８上を通過させた前記自毛Ｂの先端部を適度な長さ寸法だけ前記櫛部１２の一方の側面部３５ａ側へ突出するように調節して前記櫛部１２の幅方向に沿って配置する。
その後、図４及び図６（ｂ）に示すように、前記基部２８上に載置された前記自毛Ｂ上に付け毛Ｃを載置する。
この場合、前記のように配置した自毛Ｂ上であって、複数の櫛歯１１との櫛部１２の複数の櫛歯１１の夫々の隙間部３１に均等に分散するように配置し、前記櫛部１２の他方の側面部３５ｂ側に付け毛Ｃの接合部位である先端部が適度な長さ寸法だけ前記他方の側面部３５ｂより外側に突出するように調節して配置する。
このように自毛Ｂと付け毛Ｃとを配置した場合、自毛Ｂと付け毛Ｃは櫛歯１１ａに隣接する他の櫛歯１１ｂとの間の間隙寸法Ｌ１が略１ｍｍである隙間部３１に配置されるので、前記櫛歯１１ａと前記櫛歯１１ａに隣接する他の櫛歯１１ｂとの間に配置される毛束の太さ寸法を小さくできることから、自毛Ｂと付け毛Ｃとの接合箇所の毛束の太さ寸法を太くすることなく、前記櫛部１２上へ均等に配置することができる。
【００２５】
その後、図６（ｃ）に示すように、髪押さえ部材１３を閉じることにより、前記複数の櫛歯１１を空隙部１５の内部に収納し、前記髪押さえ部材１３の幅方向下端部１６ａ，１６ｂと前記櫛部１２の上端部１７ａ，１７ｂとの間に前記自毛Ｂと前記付け毛Ｃとを挟み込んで固定する。
この場合、前記自毛Ｂと前記付け毛Ｃは、前記髪押さえ部材１３が横断面コ字状に形成されていることから、前記髪押さえ部材１３の一方の下端部１６ａと前記櫛部１２の一方の上端部１７ａ、及び前記髪押さえ部材１３の他方の下端部１６ｂと前記櫛部１２の他方の上端部１７ｂにおいて挟み込まれることにより固定される。
そして、前記自毛Ｂと前記付け毛Ｃは、前記髪押さえ部材１３の幅方向下端部１６ａ，１６ｂと前記櫛部１２の上端部１７ａ，１７ｂとの間に形成される間隙部１８ａ，１８ｂに配置される。
【００２６】
その後、図５及び図６（ｄ）に示すように、前記接着剤供給用ガイド部１９の先端部２０，２０側から液体状の接着剤Ａを滴下する。
接着剤Ａを供給する場合には、前記自毛Ｂと付け毛Ｃとを挟み込んで固定した状態で、図６（ｄ）に示すように、付け毛接合器具１０を前記接着剤供給用ガイド部１９の拡開した先端部２０，２０側が上方になるように、図６（ｃ）に示す状態から図６（ｄ）に示す状態へ９０度回転させて寝かせる。
そして、前記櫛部１２の一方の側面部３５ａには、前記間隙部１８ａに対して開口する接着剤供給用ガイド部１９が設けられていることから、前記接着剤供給用ガイド部１９に対して液体状の接着剤Ａを供給することにより、前記間隙部１８ａに配置された前記自毛Ｂと前記付け毛Ｃに接着剤Ａを付すことができる。
この場合、前記接着剤供給用ガイド部１９は先端部２０，２０側が拡開する横断面略Ｖ字形状に形成され、底部２２には、接着剤Ａが供給された場合に、前記間隙部１８ａに配置された毛に接着剤Ａを供給できる複数の開口部２３が設けられていることから、拡開する先端部２０，２０側から接着剤Ａを容易に供給することができ、前記接着剤Ａは、重力により、先端部２０，２０から、底部２２に形成されている複数の開口部２３へ移動し、前記開口部２３から、前記間隙部１８ａに配置された自毛Ｂと付け毛Ｃとに、接着剤Ａを容易に供給することができる。
また、図６に示すように、前記複数の開口部２３は、前記櫛歯１１の下端部３２に沿うように前記櫛部１２の長さ方向全域に配置されると共に、図４に示すように、前記櫛歯１１ａと前記櫛歯１１ａに隣接する櫛歯１１ｂとの間に形成される隙間部３１に対して対向するように配置されていることから、自毛Ｂと付け毛Ｃが配置された部位に対して確実に前記接着剤Ａを供給することができる。
また、閉時には、図２に示すように、前記接着剤供給用ガイド部１９の一方の板材２１ａの直上に配置されて接着剤Ａの液だれを防止する突起部２４ａが長さ方向に沿って形成されていると共に、前記櫛部１２には、前記接着剤供給用ガイド部１９の他方の板材２１ｂの直下に配置されて液だれを防止する突起部２４ｂが長さ方向に沿って形成されていることから、接着剤Ａを多量に滴下して前記間隙部１８ａから接着剤Ａが溢れた場合であっても、液だれを防止する突起部２４ａ，２４ｂにより接着剤Ａの移動は規制されて接着剤Ａの液だれを防止することができる。
また、図６（ｄ）に示すように、自毛Ｂと付け毛Ｃとの接合部位は、重力方向に沿って固定配置されていることから、接合部位に対して前記接着剤Ａを供給することにより、前記接着剤Ａを重力方向である自毛Ｂと付け毛Ｃの長さ方向に沿って移動させることができ、自毛Ｂと付け毛Ｃとの間に前記接着剤Ａを容易に浸透させることができる。
【００２７】
次に、図５に示すような把持部２７上に設けられたバイブレータスイッチ３３をオン操作する。
この場合、前記バイブレータスイッチ３３のオン操作により、前記把持部２７に内蔵されたバイブレータ２６を作動させて、前記バイブレータ２６により発生した振動を前記櫛部１２に伝達して液体状の接着剤Ａを拡散させることにより、より接着剤Ａを自毛Ｂと付け毛Ｃとの間に十分に浸透させることができる。
【００２８】
その後、前記バイブレータスイッチ３３のオフ操作により、バイブレータ２６の振動を停止させる。
前記バイブレータ２６の振動を停止後、付け毛接合器具１０の閉止状態を約５分間保持して、自毛Ｂと付け毛Ｃとの間に浸透させた接着剤Ａを半渇き状態になるまで保持する。
その後、前記髪押さえ部材１３を支軸部２９に対して回動させて付け毛接合器具１０を開く。
そして、自毛Ｂと付け毛Ｃから付け毛接合器具１０を外し、ドライヤーを使用して約１０分間かけて自毛Ｂと付け毛Ｃに浸透させた接着剤Ａを乾燥させる。
その後、図７（ａ）に示すような自毛Ｂと付け毛Ｃとを接合させた状態から、図７（ｂ）に示すような髪の薄い頭部側へ付け毛Ｃを流して配置する。
そして、図７（ｃ）に示すように、ヘアスプレーとブラシを用いて、接合した自毛Ｂ及び付け毛Ｃとを整えることにより、付け毛Ｃの接合作業は終了する。
この場合、自毛Ｂと付け毛Ｃとの接合状態は、図１に示すように、前記櫛歯１１が全体略円柱状に形成され、櫛歯１１に隣接する他の櫛歯１１との間の間隙寸法Ｌ１が略１ｍｍであるので、前記櫛歯１１と前記櫛歯１１に隣接する他の櫛歯１１との間に配置される毛の束の太さ寸法を小さくでき、接着剤Ａを櫛歯１１と隣接する他の櫛歯１１の周面に沿って供給することができることから、接着剤Ａが凹凸のない滑らかな状態で自毛Ｂと付け毛Ｃとの間の接合部位に固着し、自毛Ｂと付け毛Ｃとを自然な状態で良好に接合することができる。
【産業上の利用可能性】
【００２９】
本発明は付け毛接合器具に係り、特に、自毛と付け毛との接合状態を良好にしうる付け毛接合器具に広く適用できる。
【図面の簡単な説明】
【００３０】
【図１】本発明に係る付け毛接合器具の一実施の形態を示す斜視図であり、開状態を示す図である。
【図２】本発明に係る付け毛接合器具の一実施の形態を示す斜視図であり、閉状態を示す図である。
【図３】本発明に係る付け毛接合器具の一実施の形態を示す断面図である。
【図４】本発明に係る付け毛接合器具の一実施の形態を示す上面図であり、開状態において毛を配置した状態を示す図である。
【図５】本発明に係る付け毛接合器具の一実施の形態を示す側面図であり、閉状態において毛を固定した状態を示す図である。
【図６】本発明に係る付け毛接合器具の一実施の形態を示す使用状態図であり、断面図により接合過程を説明した図である。
【図７】本発明に係る付け毛接合器具を使用後における髪を整える過程を示す図である。
【符号の説明】
【００３１】
１０    付け毛接合器具
１１    櫛歯
１１ａ  櫛歯
１１ｂ  櫛歯
１２    櫛部
１３    髪押さえ部材
１４    振動部
１５    空隙部
１６ａ  髪押さえ部材の幅方向下端部
１６ｂ  髪押さえ部材の幅方向下端部
１７ａ  櫛部の上端部
１７ｂ  櫛部の上端部
１８ａ  間隙部
１８ｂ  間隙部
１９    接着剤供給用ガイド部
２０    先端部
２１ａ  一方の板材
２１ｂ  他方の板材
２２    底部
２３    開口部
２４ａ  突起部
２４ｂ  突起部
２５ａ  櫛部の一方の端部
２５ｂ  髪押さえ部材の一方の端部
２６    バイブレータ
２７    把持部
２８    基部
２９    支軸部
３０ａ  磁石
３０ｂ  磁石
３１    隙間部
３２    櫛歯の下端部
３３    バイブレータスイッチ
３４ａ  髪押さえ部材の一方の側面部
３５ａ  櫛部の一方の側面部
３５ｂ  櫛部の他方の側面部
３６    上板部
３７    対向板部
Ａ    接着剤
Ｂ    自毛
Ｃ    付け毛
Ｌ１  間隙寸法
Ｌ２  間隔寸法
【図１】
2010084290.tif 000003
【図２】
2010084290.tif 000004
【図３】
2010084290.tif 000005
【図４】
2010084290.tif 000006
【図５】
2010084290.tif 000007
【図６】
2010084290.tif 000008
【図７】
2010084290.tif 000009